(57)【要約】【課題】画像表示パネルの温度上昇を抑制することが可能な画像表示装置を提供する。【解決手段】本発明に係る画像表示装置は、液晶表示パネル２が収容されている収容室５を具え、収容室５の内部には、液晶表示パネル２を包囲する循環流路が形成されている。該循環流路は、液晶表示パネル２の背面22側を縦方向に延びると共に該液晶表示パネル２の横幅よりも小さい寸法の横幅を有する背面側縦流路部61と、液晶表示パネル２の側面側を縦方向に延びる側面側流路部63と、液晶表示パネル２の背面22側を該背面22に沿って横方向に延びて背面側縦流路部61と側面側流路部63とを互いに連通させる背面側横流路部62とを有している。収容室５の内部には更に、循環流路内の空気を循環させるための循環手段７と、循環する空気を冷却する冷却手段とが配備され、循環手段７は、背面側縦流路部61内の空気を、背面側横流路部62を通じて側面側流路部63へ流す。【選択図】図３
2011022362.tif 000002
【特許請求の範囲】
【請求項１】
画像表示パネルが収容されている収容室を具えた画像表示装置において、前記収容室の内部には、画像表示パネルを包囲する循環流路が形成され、該循環流路は、画像表示パネルの背面側を縦方向に延びると共に該画像表示パネルの横幅よりも小さい寸法の横幅を有する背面側縦流路部と、画像表示パネルの側面側を縦方向に延びる側面側流路部と、画像表示パネルの背面側を該背面に沿って横方向に延びて前記背面側縦流路部と側面側流路部とを互いに連通させる背面側横流路部とを有しており、前記収容室の内部には更に、循環流路内の空気を循環させるための循環手段と、循環する空気を冷却する冷却手段とが配備され、前記循環手段は、背面側縦流路部内の空気を、背面側横流路部を通じて側面側流路部へ流すことを特徴とする画像表示装置。
【請求項２】
前記循環流路は更に、画像表示パネルの前面側を該前面に沿って縦方向に延びる前面側流路部を有し、該前面側流路部には、その上端部及び下端部の何れか一方の端部に前記背面側縦流路部が連通し、他方の端部に前記側面側流路部が連通している請求項１に記載の画像表示装置。
【請求項３】
前記背面側縦流路部は、画像表示パネルの背面側を、該画像表示パネルの中央部分と対向する位置にて縦方向に延びる一方、前記側面側流路部は、画像表示パネルの両側面側に配備されており、前記背面側横流路部は、背面側縦流路部から画像表示パネルの両側面に向けて両横方向に延びて各側面側流路部に通じている請求項１又は請求項２に記載の画像表示装置。
【請求項４】
前記背面側横流路部の内部には、該背面側横流路部の長手方向に延びた放熱板が形成されている請求項１乃至請求項３の何れかに記載の画像表示装置。
【請求項５】
表示部と、
表示部を収容すると共に、該表示部の表示面を外部から視認可能とする筐体と、
筐体内の空気を表示部の垂直方向に循環させる循環手段と、
表示部の背面側に設けられたファン
とを具え、
前記ファンは、前記垂直方向に循環する空気を水平方向へ流して、表示部の背面から発生する熱を水平方向に拡散させる画像表示装置。
【発明の詳細な説明】
【技術分野】
【０００１】
本発明は、平面型の画像表示パネルを具えた画像表示装置に関する。
【背景技術】
【０００２】
従来、この種の画像表示装置（例えば特許文献１参照）は、その殆どが屋内に設置することを前提として設計されたものであり、従来の画像表示装置には、風雨やダスト等から画像表示パネルを保護する対策が施されていなかった。このため、従来の画像表示装置は、屋外に常設することが困難であった。
【０００３】
しかし近年、上記画像表示装置を屋外に常設することが望まれている。その理由として、平面型の画像表示パネルを具えた画像表示装置はその厚さ寸法が小さいこと等が挙げられる。厚さ寸法が小さいと、狭い場所への画像表示装置の設置が可能となる。
そこで、画像表示パネルを風雨やダスト等から保護するべく、密閉構造を有する収容室の内部に画像表示パネルを配備することが考えられている。
【先行技術文献】
【特許文献】
【０００４】
【特許文献１】特開２００５−２８６９８７号公報
【発明の概要】
【発明が解決しようとする課題】
【０００５】
しかし、密閉構造を有する収容室においては、その内部から外部へ熱が放出され難くなるため、動作時に画像表示パネルから発生する熱や太陽光等によって、収容室内の空気の温度が上昇し易い。このため、画像表示パネルの温度が上昇して、画像表示パネルによる画像表示が不能になる虞がある。
【０００６】
そこで本発明の目的は、画像表示パネルの温度上昇を抑制することが可能な画像表示装置を提供することである。
【課題を解決するための手段】
【０００７】
本発明に係る第１の画像表示装置は、画像表示パネルが収容されている収容室を具えた画像表示装置であって、前記収容室の内部には、画像表示パネルを包囲する循環流路が形成され、該循環流路は、画像表示パネルの背面側を縦方向に延びると共に該画像表示パネルの横幅よりも小さい寸法の横幅を有する背面側縦流路部と、画像表示パネルの側面側を縦方向に延びる側面側流路部と、画像表示パネルの背面側を該背面に沿って横方向に延びて前記背面側縦流路部と側面側流路部とを互いに連通させる背面側横流路部とを有しており、前記収容室の内部には更に、循環流路内の空気を循環させるための循環手段と、循環する空気を冷却する冷却手段とが配備され、前記循環手段は、背面側縦流路部内の空気を、背面側横流路部を通じて側面側流路部へ流す。
【０００８】
上記第１の画像表示装置においては、上記循環流路内の空気を循環手段によって循環させることにより、冷却手段によって冷却された空気が、画像表示パネルの背面側に導かれて該背面に沿って流れることになる。よって、画像表示パネルから発生した熱が、背面に沿って流れる空気によって画像表示パネルの背面から取り除かれることになる。このとき、背面に沿って流れた空気は、画像表示パネルの熱によって暖められることになるが、暖まった空気は側面側流路部へ導かれるので、暖まった空気がそのまま画像表示パネルの背面に沿って流れ続けることがなく、該背面には冷たい空気が流れ易くなる。
従って、画像表示パネルは効率良く冷却されることになり、その結果、画像表示パネルの温度上昇が抑制されて、画像表示パネルの機能は良好な状態に維持されることとなる。
【０００９】
上記第１の画像表示装置の具体的構成において、前記循環流路は更に、画像表示パネルの前面側を該前面に沿って縦方向に延びる前面側流路部を有し、該前面側流路部には、その上端部及び下端部の何れか一方の端部に前記背面側縦流路部が連通し、他方の端部に前記側面側流路部が連通している。
該具体的構成によれば、画像表示パネルから発生した熱が前面からも取り除かれることになるので、画像表示パネルは、より効率よく冷却されることになる。
【００１０】
上記第１の画像表示装置の他の具体的構成において、前記背面側縦流路部は、画像表示パネルの背面側を、該画像表示パネルの中央部分と対向する位置にて縦方向に延びる一方、前記側面側流路部は、画像表示パネルの両側面側に配備されており、前記背面側横流路部は、背面側縦流路部から画像表示パネルの両側面に向けて両横方向に延びて各側面側流路部に通じている。
【００１１】
上記第１の画像表示装置の更なる他の具体的構成おいて、前記背面側横流路部の内部には、該背面側横流路部の長手方向に延びた放熱板が形成されている。
該具体的構成によれば、画像表示パネルから発生した熱は、背面側横流路部内を流れる空気に伝達し易く、従って画像表示装置は高い冷却効率を有することになる。
【００１２】
上記第１の画像表示装置において、前記循環手段は、前記背面側横流路部の入口近傍に配備されたファンを具えていてもよい。これにより、背面側縦流路部内を流れる空気が、ファンによって背面側横流路部内へ流れ易くなる。よって、循環流路内での圧損が低減し、その結果、画像表示装置は高い冷却効率を有することになる。
【００１３】
本発明に係る第２の画像表示装置は、表示部と、筐体と、循環手段と、ファンとを具えている。筐体は、表示部を収容すると共に、該表示部の表示面を外部から視認可能とする。循環手段は、筐体内の空気を表示部の垂直方向に循環させる。ファンは、表示部の背面側に設けられており、前記垂直方向に循環する空気を水平方向へ流して、表示部の背面から発生する熱を水平方向に拡散させる。
【００１４】
上記第２の画像表示装置においては、筐体内の空気を循環手段によって循環させることにより、筐体内の空気が、表示部の背面に沿って流れることになる。よって、表示部から発生した熱が、背面に沿って流れる空気によって表示部の背面から取り除かれることになる。このとき、背面に沿って流れた空気は、表示部の熱によって暖められることになるが、暖まった空気は水平方向に流されるので、表示部の熱は水平方向に拡散されることになる。
従って、表示部は効率良く冷却されることになり、その結果、表示部の温度上昇が抑制されて、表示部の機能は良好な状態に維持されることとなる。
【発明の効果】
【００１５】
本発明に係る画像表示装置によれば、画像表示パネル（表示部）の温度上昇を抑制することが可能である。
【図面の簡単な説明】
【００１６】
【図１】図１は本発明の一実施形態に係る画像表示装置を前面側から見た斜視図である。
【図２】図２は上記画像表示装置が具えている収容室を背面側から見た斜視図である。
【図３】図３は該収容室の背面図である。
【図４】図４は図３に示されたＡ−Ａ線に沿う断面図である。
【発明を実施するための形態】
【００１７】
以下、本発明の実施の形態につき、図面に沿って具体的に説明する。
図１は、本発明の一実施形態に係る画像表示装置を前面側から見た斜視図である。図１に示す様に、画像表示装置は、筐体(１)と、筐体(１)内に配備されている液晶表示パネル(２)と、筐体(１)を支持するためのキャスタ付き支持台(３)と、冷却装置(４)とを具えている。液晶表示パネル(２)は、筐体(１)の外部から視認可能な表示面を有している。
【００１８】
筐体(１)の内部には、液晶表示パネル(２)が収容された収容室(５)が形成されており、該収容室(５)は、収容室(５)内の空間を密閉する構造を有している。従って、収容室(５)内の液晶表示パネル(２)は外気に接することがなく、画像表示装置を屋外に設置することが可能である。即ち、画像表示装置を屋外に設置したとき、収容室(５)内の画像表示パネル(２)は風雨やダストから保護されることになる。ここで、収容室(５)内の空気は、冷却装置(４)によって冷却される。
【００１９】
図２及び図３はそれぞれ、収容室(５)を背面側から見た斜視図及び平面図である。又、図４は、図３に示されたＡ−Ａ線に沿う断面図である。ここで、図２及び図３においては、収容室(５)は、その背面壁が取り除かれた状態で示されている。
図４に示す様に、収容室(５)の内部には、液晶表示パネル(２)を包囲する循環流路(６)が形成されている。該循環流路(６)は、図２及び図３に示す様に、背面側縦流路部(61)と、複数の背面側横流路部(62)〜(62)と、一対の側面側流路部(63)(63)と、下端面側流路部(64)とを有している。
【００２０】
背面側縦流路部(61)は、液晶表示パネル(２)の背面側を該液晶表示パネル(２)の中央部分と対向する位置にて縦方向（垂直方向）に延びると共に、液晶表示パネル(２)の横幅よりも小さい寸法の横幅を有している。
【００２１】
一対の側面側流路部(63)(63)は、液晶表示パネル(２)の両側面側を縦方向に延びている。下端面側流路部(64)は、液晶表示パネル(２)の下端面側を横方向（水平方向）に延びている。そして、一対の側面側流路部(63)(63)は、それらの下端部が下端面側流路部(64)を通じて互いに繋がっている。
【００２２】
複数の背面側横流路部(62)〜(62)は縦方向に配列されており、各背面側横流路部(62)は、液晶表示パネル(２)の背面(22)に接し、液晶表示パネル(２)の背面(22)と背面側縦流路部(61)とによって挟まれた空間を通って、一対の側面側流路部(63)(63)の間を横方向に延びている。そして、各背面側横流路部(62)は、その中央部が背面側縦流路部(61)に通じる一方、両端部が一対の側面側流路部(63)(63)に通じている。即ち、各背面側横流路部(62)は、液晶表示パネル(２)の背面側を該背面(22)に沿って背面側縦流路部(61)から両横方向に延びて一対の側面側流路部(63)(63)に通じている。
斯くして、背面側縦流路部(61)と一対の側面側流路部(63)(63)とが、複数の背面側横流路部(62)〜(62)を通じて互いに連通することとなっている。
【００２３】
又、図４に示す様に、各背面側横流路部(62)の内部には、該背面側横流路部(62)の長手方向（横方向）に延びた複数の放熱板(８)が形成されている。
【００２４】
図４に示す様に循環流路(６)は更に、液晶表示パネル(２)の前面(21)側を該前面(21)に沿って縦方向に延びる前面側流路部(65)を有している。そして、該前面側流路部(65)には、その上端部に背面側縦流路部(61)が連通し、下端部に冷却装置(４)を介して下端面側流路部(64)が連通している。
【００２５】
図２〜図４に示す様に、収容室(２)の内部には更に、循環流路(６)内の空気を循環させるための一対の第１ファン(71)(71)と複数の第２ファン(72)〜(72)とが配備されている。
一対の第１ファン(71)(71)は、前面側流路部(65)の上端部近傍に配置され、前面側流路部(65)内の空気を背面側縦流路部(61)内へ導くものである。一方、複数の第２ファン(72)〜(72)は、液晶表示パネル(２)の光源（ＬＥＤ等）を冷却するためのファンである。これらを各背面側横流路部(62)〜(62)の中央部近傍に１つずつ配置することにより、複数の第２ファン(72)〜(72)は、背面側縦流路部(61)内の空気を各背面側横流路部(62)内へ導くファンとして利用されている。
【００２６】
従って、第１ファン(71)等を駆動することにより、図３及び図４において矢印によって示す如く、循環流路(６)内の空気は、背面側縦流路部(61)、複数の背面側横流路部(62)〜(62)、一対の側面側流路部(63)(63)、下端面側流路部(64)、冷却装置(４)、前面側流路部(65)をこの順に通って循環することになる。
【００２７】
収容室(２)内の空気は、背面側縦流路部(61)内を流れることにより、液晶表示パネル(２)の背面側を下方へ向けて効率良く流れることになる。又、背面側縦流路部(61)内の空気が背面側横流路部(62)へ流れ込むことにより、液晶表示パネル(２)の背面側を下方へ向けて流れていた空気は、途中でその方向を変化させて横方向に流れることになる。
ここで、第２ファン(72)によれば、背面側縦流路部(61)内を流れる空気が背面側横流路部(62)内へ流れ易くなるので、循環流路(６)内での圧損が低減することになる。
【００２８】
上記画像表示装置においては、循環流路(６)内の空気を第１ファン(71)と第２ファン(72)とによって循環させることにより、冷却装置(４)によって冷却された空気が、液晶表示パネル(２)の背面(22)側に導かれて該背面(22)に沿って流れることになる。よって、液晶表示パネル(２)から発生した熱が、背面(22)に沿って流れる空気によって液晶表示パネル(２)の背面(22)から取り除かれることになる。このとき、背面(22)に沿って流れた空気は、液晶表示パネル(２)の熱によって暖められることになるが、暖まった空気は一対の側面側流路部(63)(63)へ導かれる。即ち、液晶表示パネル(２)から発生した熱は横方向に拡散されることになる。
【００２９】
よって、暖まった空気がそのまま液晶表示パネル(２)の背面(22)に沿って流れ続けることがなく、該背面(22)には冷たい空気が流れ易くなる。従って、液晶表示パネル(２)は効率良く冷却されることになり、その結果、液晶表示パネル(２)の温度上昇が抑制されて、液晶表示パネル(２)の機能は良好な状態に維持されることとなる。
【００３０】
又、上記画像表示装置においては、液晶表示パネル(２)から発生した熱が前面(21)からも取り除かれることになるので、液晶表示パネル(２)は、より効率よく冷却されることになる。
【００３１】
更に、上記画像表示装置は、上述の如く循環流路(６)内での圧損が低減する構成を有しているので、高い冷却効率を有している。又、上記画像表示装置においては、各背面側横流路部(62)の内部に放熱板(８)が形成されているので、液晶表示パネル(２)から発生した熱は、背面側横流路部(62)内を流れる空気に伝達し易く、従って画像表示装置は高い冷却効率を有している。
【００３２】
上記画像表示装置においては、収容室(５)は密閉構造を有しているので、収容室(２)内の空気は温度が上昇し易いが、上述の如く液晶表示パネル(２)は効率良く冷却されるので、液晶表示パネル(２)の機能は良好な状態で維持されることになる。
【００３３】
尚、本発明の各部構成は上記実施形態に限らず、特許請求の範囲に記載の技術的範囲内で種々の変形が可能である。上記実施形態においては、前面側流路部(65)には、その上端部に背面側縦流路部(61)が連通し、下端部に冷却装置(４)を介して下端面側流路部(64)が連通していたが、本発明にはこれに限られるものではない。例えば、一対の側面側流路部(63)(63)の上端部が、液晶表示パネル(２)の上端面側に配備された上端面側流路部を通じて互いに繋がっており、前面側流路部(65)には、その下端部に背面側縦流路部(61)が連通し、上端部に冷却装置(４)を介して前記上端面側流路部が連通していてもよい。
【００３４】
又、上記画像表示装置に採用した各種構成は、液晶表示パネル(２)を具えた画像表示装置に限らず、プラズマ表示パネルや有機ＥＬ（Electro-Luminescence）表示パネル等の平面型の画像表示パネルを具えた種々の画像表示装置に適用することが出来る。
【００３５】
上述実施形態において、第１ファン(71)だけで、循環流路(６)内の空気を循環させるための循環手段を構成してもよいし、第１ファン(71)と第２ファン(72)の両方によって、前記循環手段を構成してもよい。
【００３６】
第１ファン(71)だけで循環手段を構成した場合、画像表示装置の構成を、第２ファン(72)によって横方向へ導かれる空気の熱を冷却装置(４)により回収しない構成としてもよい。例えば、画像表示装置が屋内配置型の装置である場合、収容室(５)に対して必ずしも密閉構造を採用する必要がないので、第２ファン(72)によって横方向へ導かれた空気を、筐体(１)の側面に設けられた排気口からそのまま排出するだけで、液晶表示パネル(２)を冷却することが出来る。第２ファン(72)によって横方向へ導かれた空気を、収容室(５)の側面側を縦方向に延びて外気に通じるダクト内を通して排出してもよい。
一方、画像表示装置が屋外配置型の装置である場合は、収容室(５)に対して密閉構造が採用されるので、上記実施形態の如く、第２ファン(72)によって横方向へ導かれる空気を冷却装置(４)によって回収することが好ましい。
【００３７】
又、第１ファン(71)と第２ファン(72)の両方によって循環手段を構成した場合であっても、画像表示装置の構成を、第２ファン(72)によって空気を縦方向及び横方向へ流し、横方向へ導かれる空気については、その熱を冷却装置(４)により回収しない構成としてもよい。
【符号の説明】
【００３８】
(１)  筐体
(２)  液晶表示パネル（画像表示パネル、表示部）
(21)  前面
(22)  背面
(４)  冷却装置（冷却手段）
(５)  収容室
(６)  循環流路
(61)  背面側縦流路部
(62)  背面側横流路部
(63)  側面側流路部
(65)  前面側流路部
(71)  第１ファン
(72)  第２ファン
(８)  放熱板
【図１】
2011022362.tif 000003
【図２】
2011022362.tif 000004
【図３】
2011022362.tif 000005
【図４】
2011022362.tif 000006